(57)【要約】【課題】テレビやラジオにおける視聴調査を小さいシステム規模で実現できる視聴調査システムを提供する。【解決手段】視聴信号特徴量抽出手段１０１は、視聴者が実際に視聴端末（テレビ、ラジオ、パソコンなど）で視聴している番組（テレビ番組、ラジオ番組など）の信号より特徴量を抽出する。受信チャネル切り替え手段１０２は、受信する放送チャネルを自動的に切り替える。放送波受信手段１０３は、受信チャネル切り替え手段１０２により設定された放送チャネルの放送波を受信する。受信チャネル特徴量抽出手段１０４は、放送波受信手段１０３の受信している信号より、特定のアルゴリズムにより特徴量を抽出する。チャネル特定手段１０５は、視聴信号特徴量抽出手段１０１により抽出された特徴量と、受信チャネル特徴量抽出手段１０４により抽出された特徴量を比較することにより、視聴者がどのチャネルを視聴したかを特定する。【選択図】図１
2005051716.tif 000002
【特許請求の範囲】
【請求項１】
視聴端末が受信している信号を解析し特徴量を生成する視聴信号特徴量生成手段と、
受信する放送チャネルを自動的に切り替える受信チャネル切り替え手段と、
前記受信チャネル切り替え手段により指定されたチャネルの信号を解析し特徴量を生成する受信チャネル特徴量生成手段と、
前記視聴信号特徴量生成手段により生成された特徴量と、前記受信チャネル特徴量生成手段により生成された特徴量を比較し、視聴しているチャネルを特定する視聴チャネル特定手段と、を備えることを特徴とする視聴調査システム。
【請求項２】
前記受信チャネル切り替え手段が、一定時間間隔でチャネルを切り替えることを特徴とする請求項１に記載の視聴調査システム。
【請求項３】
前記視聴信号特徴量生成手段が、視聴者の視聴端末の受信している信号を解析し特徴量を生成し、生成された特徴量をネットワークを通じてサーバに送出する特徴量送出手段を含み、
前記視聴チャネル特定手段が、前記特徴量送出手段により送出された特徴量と、前記受信チャネル特徴量生成手段により生成された特徴量を比較し、視聴しているチャネルを特定することを特徴とする請求項１または請求項２のいずれか１項に記載の視聴調査システム。
【請求項４】
前記視聴信号特徴量生成手段が、視聴者の視聴端末の受信している信号をネットワークを通じてサーバに送出する信号送出手段を含み、前記信号送出手段より送出された信号を解析し特徴量を生成することを特徴とする請求項１または請求項２のいずれか１項に記載の視聴調査システム。
【請求項５】
視聴端末が受信している信号を解析し特徴量を生成する視聴信号特徴量生成手段と、
受信する放送チャネルを自動的に切り替える受信チャネル切り替え手段と、
前記受信チャネル切り替え手段により指定されたチャネルの信号を解析し特徴量を生成する受信チャネル特徴量生成手段と、
前記視聴信号特徴量生成手段により生成された特徴量と、前記受信チャネル特徴量生成手段により生成された特徴量を比較し、視聴しているチャネルを特定するチャネル特定手段と、を備えることを特徴とする視聴調査端末。
【請求項６】
前記受信チャネル切り替え手段が、一定時間間隔でチャネルを切り替えることを特徴とする請求項５に記載の視聴調査端末。
【請求項７】
視聴端末が受信している信号を解析して生成された特徴量を入力する視聴信号特徴量入力部と、
受信する放送チャネルを自動的に切り替える受信チャネル切り替え手段と、
前記受信チャネル切り替え手段により指定されたチャネルの信号を解析し特徴量を生成する受信チャネル特徴量生成手段と、
前記視聴信号特徴量入力部により入力された特徴量と、前記受信チャネル特徴量生成手段により生成された特徴量を比較し、視聴しているチャネルを特定するチャネル特定手段と、を備えることを特徴とする視聴調査サーバ。
【請求項８】
前記受信チャネル切り替え手段が、一定時間間隔でチャネルを切り替えることを特徴とする請求項７に記載の視聴調査サーバ。
【請求項９】
視聴端末が受信している信号を入力する視聴信号入力部と、
前記視聴信号入力部より入力された信号を解析して特徴量を生成する視聴信号特徴量生成手段と、
受信する放送チャネルを自動的に切り替える受信チャネル切り替え手段と、
前記受信チャネル切り替え手段により指定されたチャネルの信号を解析し特徴量を生成する受信チャネル特徴量生成手段と、
前記視聴信号特徴量生成手段により生成された特徴量と、前記受信チャネル特徴量生成手段により生成された特徴量を比較し、視聴しているチャネルを特定するチャネル特定手段と、を備えることを特徴とする視聴調査サーバ。
【請求項１０】
前記受信チャネル切り替え手段が、一定時間間隔でチャネルを切り替えることを特徴とする請求項９に記載の視聴調査サーバ。
【請求項１１】
視聴者の視聴端末の受信している信号を解析し特徴量を生成する視聴信号特徴量生成工程と、
受信する放送チャネルを自動的に切り替える受信チャネル切り替え工程と、
前記受信チャネル切り替え手段により指定されたチャネルの信号を解析し特徴量を生成する受信チャネル特徴量生成工程と、
前記視聴信号特徴量生成手段により生成された特徴量と、前記受信チャネル特徴量生成手段により生成された特徴量を比較し、視聴しているチャネルを特定する視聴チャネル特定工程と、を備えることを特徴とする視聴調査方法。
【請求項１２】
視聴者の視聴端末の受信している信号を解析し特徴量を生成する視聴信号特徴量生成処理と、
受信する放送チャネルを自動的に切り替える受信チャネル切り替え処理と、
前記受信チャネル切り替え手段により指定されたチャネルの信号を解析し特徴量を生成する受信チャネル特徴量生成処理と、
前記視聴信号特徴量生成手段により生成された特徴量と、前記受信チャネル特徴量生成手段により生成された特徴量を比較し、視聴しているチャネルを特定する視聴チャネル特定処理と、をコンピュータに実行させるための視聴調査用プログラム。
【請求項１３】
視聴端末が受信している信号を解析し特徴量を生成する視聴信号特徴量生成手段と、
受信する放送チャネルを自動的に切り替える受信チャネル切り替え手段と、
前記受信チャネル切り替え手段により指定されたチャネルの信号を解析し特徴量を生成する受信チャネル特徴量生成手段と、
前記視聴信号特徴量生成手段で生成した特徴量と前記特徴量生成手段で生成した特徴量とをネットワークを介して、視聴しているチャネルを特定するチャネル特定手段を少なくとも備えるサーバに対して送出する信号送出手段を備えることを特徴とする視聴調査端末。
【請求項１４】
視聴端末が受信している信号を解析し特徴量を生成する視聴信号特徴量生成手段と、受信する放送チャネルを自動的に切り替える受信チャネル切り替え手段と、前記受信チャネル切り替え手段により指定されたチャネルの信号を解析し特徴量を生成する受信チャネル特徴量生成手段と、を備える視聴調査端末からネットワークを介して前記視聴信号特徴量生成手段で生成した特徴量と前記特徴量生成手段で生成した特徴量を受信し、
前記視聴信号特徴量生成手段により生成された特徴量と、前記受信チャネル特徴量生成手段により生成された特徴量とを比較し、視聴しているチャネルを特定するチャネル特定手段と、を備えることを特徴とする視聴調査サーバ。
【発明の詳細な説明】
【技術分野】
【０００１】
本発明は、視聴調査システム、方法、視聴調査用プログラム、視聴調査端末およびサーバーに関し、特にテレビやラジオにおける視聴調査を小さいシステム規模で実現できる視聴調査システム、方法、視聴調査用プログラム、視聴調査端末およびサーバーに関する。
【背景技術】
【０００２】
従来、テレビ放送番組の視聴調査は、調査対象家庭のテレビに設置されたメディアセンサーにより、テレビからの漏れ電波を検出することにより視聴者の閲覧しているチャネルの特定を行うことにより視聴調査を行っていた。
【０００３】
また、特許文献１（特開２００２−１３５８１０号公報）にて開示されている視聴率調査システムでは、リモコンの操作履歴を利用して視聴調査を行う。文字・画像表示装置を備えた携帯電話やＰＨＳ等の移動体通信端末とテレビ受像機・録画装置のリモコンを一体化することで、テレビ視聴率調査において、テレビ視聴者一人あたりの番組視聴頻度・時間・嗜好傾向等を把握可能にする。
【０００４】
さらに、特許文献２（特開２００１−１７７８５３号公報）にて開示されているシステムのブロック図を図１５に示す。特許文献２において、放送番組に付加された識別コードを、ユーザの端末で読み取ることにより視聴チャネルのデータを集計する方法も提案されている。ＴＶ１０００は、信号入力手段１１００により、映像・音声信号に映像コードが付加された映像データを取得する。映像・音声信号は、映像・音声信号再生手段１２００で再生される。映像コードは、映像コード照合手段１３００へ入力し、視聴を検出する映像の映像コードと照合される。一致していれば視聴履歴記憶手段１４００に記録された視聴履歴を更新する。視聴履歴は、必要に応じて、視聴履歴送信手段１５００より送信される。集計装置２０００は、ＴＶ１０００から送信された視聴履歴を視聴履歴受信手段２１００により受信する。
【０００５】
集計データ制御手段２２００は、これらの視聴履歴を集計して集計データを生成し、これを管理する。また、必要に応じて、映像コード送出手段２３００により、ＴＶ１０００に対して視聴を検出する映像コードを送信する。
【０００６】
テレビからの漏れ電波を検出する方法では、ディジタルテレビなど電波の漏れないテレビに適応することができず、ディジタル放送など、同一チャネルに複数のコンテンツが含まれる場合など、視聴しているコンテンツを特定することができない。特許文献１に記載された技術では、視聴する際に必ず指定されたリモコンを利用しなければならないという制約があるとともに、テレビに備えられた
チャネル変更ボタンなど異なる方法でチャネルを変えた場合に視聴チャネルを特定できない。さらに、特許文献２に記載された技術では、視聴調査の対象となる全ての放送局に、放送番組に識別コードを付加する装置を導入する必要があるという問題点があった。
【０００７】
これらの問題を解決すべく、特徴量の照合を用いた放送番組の視聴調査システムの一例が、特許文献３（特開２００１−２９８４３３号公報）に記載されている。この構成を図１４に示す。この従来の視聴調査システムは、各放送局の放送出力データから特定アルゴリズムを用いてデータ量を縮小した抽出データを受信する手段と、受信したデータを蓄積する手段と、放送受信機において実際に視聴している放送出力データを記録する手段と、双方の特徴量を照合して視聴していた放送局を割り出す演算手段と、割り出された局について視聴済みデータとして視聴率調査センターへ送信する送信手段とを備えて構成されている。
【０００８】
【特許文献１】特開２００２−１３５８１０号公報
【特許文献２】特開２００１−１７７８５３号公報
【特許文献３】特開２００１−２９８４３３号公報
【発明の開示】
【発明が解決しようとする課題】
【０００９】
しかしながら、上述した特徴量の照合による従来のシステムでは、次のような問題がある。
【００１０】
第１の問題点は、システム規模が大きくなるということである。
その理由は、調査の対象とする全てのチャネルの放送を受信し、各チャネルごとの特徴量を抽出する設備を別途用意しなければならないためである。
【００１１】
第２の問題点は、比較処理コストが大きいということである。
その理由は、実際に視聴しているデータの特徴量に対して、全てのチャネルの特徴量との照合を行うためである。
【００１２】
本発明の目的は、小さいシステム規模で視聴調査を行うことのできる視聴調査システム、端末、方法およびプログラムを提供することにある。
【００１３】
本発明の他の目的は、少ない比較処理コストで視聴調査を行うことのできる視聴調査システム、端末、方法およびプログラムを提供することにある。
【課題を解決するための手段】
【００１４】
本発明の視聴調査システムは、視聴者の視聴端末の受信している信号を解析し特徴量を生成する視聴信号特徴量生成手段と、受信する放送チャネルを自動的に切り替える受信チャネル切り替え手段と、前記受信チャネル切り替え手段により指定されたチャネルの信号を解析し特徴量を生成する受信チャネル特徴量生成手段と、前記視聴信号特徴量生成手段により生成された特徴量と、前記受信チャネル特徴量生成手段により生成された特徴量を比較し、視聴しているチャネルを特定する視聴チャネル特定手段と、を備えることを特徴とする。
【００１５】
本発明の視聴調査システムは、前記受信チャネル切り替え手段が、一定時間間隔でチャネルを切り替えることを特徴とする。
【００１６】
本発明の視聴調査システムは、前記視聴信号特徴量生成手段が、視聴者の視聴端末の受信している信号を解析し特徴量を生成し、生成された特徴量をネットワークを通じてサーバに送出する特徴量送出手段を含み、前記視聴チャネル特定手段が、前記特徴量送出手段により送出された特徴量と、前記受信チャネル特徴量生成手段により生成された特徴量を比較し、視聴しているチャネルを特定することを特徴とする。
【００１７】
本発明の視聴調査システムは、前記視聴信号特徴量生成手段が、視聴者の視聴端末の受信している信号をネットワークを通じてサーバに送出する信号送出手段を含み、前記信号送出手段より送出された信号を解析し特徴量を生成することを特徴とする。
【００１８】
本発明の視聴調査端末は、視聴者の視聴端末の受信している信号を解析し特徴量を生成する視聴信号特徴量生成手段と、受信する放送チャネルを自動的に切り替える受信チャネル切り替え手段と、前記受信チャネル切り替え手段により指定されたチャネルの信号を解析し特徴量を生成する受信チャネル特徴量生成手段と、前記視聴信号特徴量生成手段により生成された特徴量と、前記受信チャネル特徴量生成手段により生成された特徴量を比較し、視聴しているチャネルを特定するチャネル特定手段と、を備えることを特徴とする。
【００１９】
本発明の視聴調査端末は、前記受信チャネル切り替え手段が、一定時間間隔でチャネルを切り替えることを特徴とする。
【００２０】
本発明の視聴調査サーバは、視聴者の視聴端末の受信している信号を解析して生成された特徴量を入力する視聴信号特徴量入力部と、受信する放送チャネルを自動的に切り替える受信チャネル切り替え手段と、前記受信チャネル切り替え手段により指定されたチャネルの信号を解析し特徴量を生成する受信チャネル特徴量生成手段と、前記視聴信号特徴量入力部により入力された特徴量と、前記受信チャネル特徴量生成手段により生成された特徴量を比較し、視聴しているチャネルを特定するチャネル特定手段と、を備えることを特徴とする。
【００２１】
本発明の視聴調査サーバは、前記受信チャネル切り替え手段が、一定時間間隔でチャネルを切り替えることを特徴とする。
【００２２】
本発明の視聴調査サーバは、視聴者の視聴端末の受信している信号を入力する視聴信号入力部と、前記視聴信号入力部より入力された信号を解析して特徴量を生成する視聴信号特徴量生成手段と、受信する放送チャネルを自動的に切り替える受信チャネル切り替え手段と、前記受信チャネル切り替え手段により指定されたチャネルの信号を解析し特徴量を生成する受信チャネル特徴量生成手段と、前記視聴信号特徴量生成手段により生成された特徴量と、前記受信チャネル特徴量生成手段により生成された特徴量を比較し、視聴しているチャネルを特定するチャネル特定手段と、を備えることを特徴とする。
【００２３】
本発明の視聴調査サーバは、前記受信チャネル切り替え手段が、一定時間間隔でチャネルを切り替えることを特徴とする。
【００２４】
本発明の視聴調査方法は、視聴者の視聴端末の受信している信号を解析し特徴量を生成する視聴信号特徴量生成工程と、受信する放送チャネルを自動的に切り替える受信チャネル切り替え工程と、前記受信チャネル切り替え手段により指定されたチャネルの信号を解析し特徴量を生成する受信チャネル特徴量生成工程と、前記視聴信号特徴量生成手段により生成された特徴量と、前記受信チャネル特徴量生成手段により生成された特徴量を比較し、視聴しているチャネルを特定する視聴チャネル特定工程と、を備えることを特徴とする。
【００２５】
本発明の視聴調査プログラムは、視聴者の視聴端末の受信している信号を解析し特徴量を生成する視聴信号特徴量生成処理と、受信する放送チャネルを自動的に切り替える受信チャネル切り替え処理と、
前記受信チャネル切り替え手段により指定されたチャネルの信号を解析し特徴量を生成する受信チャネル特徴量生成処理と、前記視聴信号特徴量生成手段により生成された特徴量と、前記受信チャネル特徴量生成手段により生成された特徴量を比較し、視聴しているチャネルを特定する視聴チャネル特定処理とを備えることを特徴とする。
【００２６】
本発明の視聴調査端末は、視聴端末が受信している信号を解析し特徴量を生成する視聴信号特徴量生成手段と、
受信する放送チャネルを自動的に切り替える受信チャネル切り替え手段と、
前記受信チャネル切り替え手段により指定されたチャネルの信号を解析し特徴量を生成する受信チャネル特徴量生成手段と、
前記視聴信号特徴量生成手段で生成した特徴量と前記特徴量生成手段で生成した特徴量とをネットワークを介して、視聴しているチャネルを特定するチャネル特定手段を少なくとも備えるサーバに対して送出する信号送出手段を備えることを特徴とする。
【００２７】
本発明の視聴調査サーバは、視聴端末が受信している信号を解析し特徴量を生成する視聴信号特徴量生成手段と、受信する放送チャネルを自動的に切り替える受信チャネル切り替え手段と、前記受信チャネル切り替え手段により指定されたチャネルの信号を解析し特徴量を生成する受信チャネル特徴量生成手段と、を備える視聴調査端末からネットワークを介して前記視聴信号特徴量生成手段で生成した特徴量と前記特徴量生成手段で生成した特徴量を受信し、
前記視聴信号特徴量生成手段により生成された特徴量と、前記受信チャネル特徴量生成手段により生成された特徴量とを比較し、視聴しているチャネルを特定するチャネル特定手段と、を備えることを特徴とする。
【発明の効果】
【００２８】
第１の効果は、小さいシステム規模で視聴調査を行うことができることにある。
その理由は、 受信チャネルを自動的に切り替えて得られる受信信号より抽出した特徴量を照合することにより、各受信チャネルにつきチューナを設置することなく視聴調査が行えるためである。
【００２９】
第２の効果は、少ない比較処理コストで視聴調査を行うことができることにある。
その理由は、照合対象を全チャネル全放送の特徴量とするかわりに、受信チャネルを自動的に切り替えて得られる受信信号より抽出した特徴量のみを照合対象とすることで視聴調査を行えるためである。
【実施例１】
【００３０】
次に、発明を実施するための最良の形態について、複数の実施の形態を例として挙げ、それぞれ図面を参照して詳細に説明する。
【００３１】
図１を参照すると、本発明の第１の実施の形態は、視聴調査を行う対象となる視聴端末（テレビ、ラジオ、パソコンなど）に設置する視聴調査装置１を含む。
【００３２】
視聴調査装置１は、視聴信号特徴量抽出手段１０１と、受信チャネル切り替え手段１０２と、放送波を受信できるような放送波受信手段１０３（チューナーなど）と、受信チャネル特徴量抽出手段１０４と、チャネル特定手段１０５とを備えている。
【００３３】
視聴信号特徴量抽出手段１０１は、視聴者が実際に視聴端末（テレビ、ラジオ、パソコンなど）で視聴している番組（テレビ番組、ラジオ番組など）の信号より特定のアルゴリズムを用いて特徴量を抽出する。
【００３４】
信号としては、視聴端末の出力端子より出力される信号を利用する。アナログ信号、ディジタル信号のどちらでもよい。
【００３５】
例えば、アナログ信号としては、視聴端末がテレビの場合、コンポジット端子、Ｓ端子、コンポーネント端子、Ｄ端子より出力される信号を用いることができる。ラジオの場合、ヘッドホン端子やアナログ音声出力端子より出力される信号などを用いることができる。視聴端末に実際に表示されている映像や出力されている音声をカメラやマイクなどで取得したものを利用することも可能である。特徴量の例としては、映像特徴量としては色の割合をヒストグラム表現するカラーヒストグラムや、画像全体の代表色、レイアウト情報、模様、エッジ分布、映像中の動きの激しさ、音声特徴量としてスペクトラムやケプストラム等などさまざまなものが考えられる。チューナー経由でテレビを視聴している場合、チューナーに含まれる出力端子より出力される信号を利用することも可能である。
【００３６】
ディジタル信号としては、放送されている映像や音声のビットストリームそのものを用いることができる。光ディジタル音声出力端子から出力される信号を用いることもできる。特徴量の例としては、ビットストリームを復号してアナログ信号と同様の特徴量を生成することも、ビットストリームそのもの全体またはその一部を特徴量として利用することもできる。
【００３７】
受信チャネル切り替え手段１０２は、受信する放送チャネルを適宜自動的に切り替える。
【００３８】
放送波受信手段１０３は、受信チャネル切り替え手段１０２により設定された放送チャネルの放送波を受信する。
【００３９】
受信チャネル特徴量抽出手段１０４は、 放送波受信手段１０３の受信している信号より、視聴信号特徴量抽出手段１０１と同様のアルゴリズムにより特徴量を抽出するとともに、受信チャネルがどれであるかを逐次記憶する。
【００４０】
チャネル特定手段１０５は、視聴信号特徴量抽出手段１０１により抽出された特徴量と、受信チャネル特徴量抽出手段１０ ４により抽出された特徴量を比較することにより、視聴者がどのチャネルを視聴したかを特定する。
【００４１】
次に、図１及び図２のフローチャートを参照して本実施の形態の全体の動作について詳細に説明する。
【００４２】
まず、視聴が終わった時点で視聴チャネルを出力する動作例について図１及び図２のフローチャートを参照して説明する。
【００４３】
視聴調査装置には視聴者が実際に視聴端末（テレビ、ラジオ、パソコンなど）で視聴している番組（テレビ番組、ラジオ番組など）の信号が逐次入力される。信号が入力されている場合には、視聴信号特徴量抽出手段１０１は、入力された信号より特徴量を生成する（ステップＡ１〜Ａ３）。生成された特徴量は、入力された信号の特徴量が格納可能なバッファに蓄積される（ステップＡ４）。視聴者が実際に視聴端末で番組を視聴している間、蓄積を続ける。
【００４４】
同時に、受信チャネル切り替え手段１０２は、受信する放送チャネルを適宜に切り替える。ここで、ｎチャネル目を受信しているときに次（ｎ＋１）番目のチャネルに切り替えるまでの間隔をθｎとする。切り替えるまでに取得した信号数をｆとすると、初期設定としてまずｆ＝０とする（ステップＡ５）。放送波受信手段１０３は、受信チャネル切り替え手段１０２により設定されたチャネルの信号を受信する（ステップＡ６）。視聴端末より信号を受信している場合は、受信チャネル特徴量抽出手段１０４は受信した放送信号より特定のアルゴリズムにより特徴量を抽出する（ステップＡ８）。生成された特徴量は、入力された信号の特徴量が格納可能なバッファに蓄積される。この際に、どのチャネルを受信して生成された特徴量なのかをあわせてバッファに記憶する（ステップＡ９）。ｆの値がθｎになるまで、ｆの値を１ずつ加算していき、同様にチャネルの特徴量を受信し特徴量を蓄積していく（ステップＡ１０、Ａ１１）。ｆの値がθｎになったら、ｆ＝０に戻し、チャネルを切り替えて、切り替えたチャネルの信号を受信する（ステップＡ１２、Ａ１３）。
【００４５】
ここで、チャネルを切り替える間隔θを一定時間間隔で行うかわりに、任意の間隔で切り替えることもできる。つまり、θの値を、ｎによって可変にすることもできる。例えば、特徴量の性質からチャネルの特定が困難であると判断した場合、θの値を長くすることにより時間方向で特定しやすくしておき、逆に容易と判断した場合にはθの値を短くすることにより特定までの時間を短縮することができる。このように、視聴端末からの入力信号の特徴量の性質に応じて、θの値をコントロールする。任意時間間隔によりチャネルを切り替えることにより、より高精度にチャネルの特定をおこなうことができる。
【００４６】
そして、視聴端末から信号の入力が終了した時に、チャネル特定手段１０５は、視聴信号特徴量抽出手段１０１により抽出された特徴量と、受信チャネル特徴量抽出手段１０４により抽出された特徴量を比較する（ステップＡ１４）。特徴量同士の相関を求めることにより、視聴チャネルを特定し、出力する（Ａ１５）。
【００４７】
受信する民放各チャネルを一定時間間隔で切り替えて得られた特徴量に対応するチャネル番号を示した例を図３に示す。図３は、受信チャネルを１、３、４、６、８、１０、１２チャネルの順に切り替えて受信した信号より生成された一定時間の特徴量である。図４は、視聴端末で視聴した信号より生成された特徴量と、受信チャネル特徴量抽出手段１０４により抽出された特徴量を比較した例である。視聴者が６チャネルを視聴している場合、６チャネルの信号より得られた特徴量が生成されるが、受信チャネル特徴量抽出手段により抽出された特徴量との照合を行った場合、６チャネルの信号を受信して得られた箇所のみ高い相関が得られることになる。高い相関を持つ箇所が一定時間間隔で現れた場合に、視聴チャネルを該当するチャネルとして決定することにより、視聴者が現在どのチャネルを視聴しているかを特定する。一定時間間隔によりチャネルを切り替えることにより、一定時間間隔で相関の高い箇所が現れた場合に視聴チャネルを特定することが可能となる。
【００４８】
このように、上記実施の形態では、受信チャネル切り替え手段１０２により受信チャネルを自動的に切り替えて得られる受信信号より抽出した特徴量を照合することにより、各受信チャネルにつきチューナーを設置することがないため小さいシステム規模で視聴調査を行うことができる。
【００４９】
また、照合対象を全チャネル全放送の特徴量とするかわりに受信チャネル切り替え手段１０２により受信チャネルを自動的に切り替えて得られる受信信号より抽出した特徴量のみを照合対象とすることにより、少ない比較処理コストで視聴調査を行うことのできる視聴調査装置を提供することができる。
【００５０】
さらに、一定時間間隔によりチャネルを切り替えることにより、一定時間間隔で相関の高い箇所が現れた場合に視聴チャネルを特定することが可能となる。
【００５１】
（逐次比較）
次に、本発明の第２の発明を実施するための最良の形態について図面を参照して詳細に説明する。
【００５２】
図５を参照すると、本発明の第２の実施の形態は、第１の実施の形態に比べて、チャネル特定手段１０５のかわりにチャネル特定手段１０６を備えている。
【００５３】
チャネル特定手段１０６は、視聴信号特徴量抽出手段１０１により抽出された特徴量と、受信チャネル特徴量抽出手段１０４により抽出された特徴量を逐次比較することにより、視聴者がどのチャネルを視聴したかを特定する。
【００５４】
次に、逐次視聴チャネルを出力する動作例について図５及び図６のフローチャートを参照して説明する。
【００５５】
視聴調査装置には視聴者が実際に視聴端末（テレビ、ラジオ、パソコンなど）で視聴している番組（テレビ番組、ラジオ番組など）の信号 が逐次入力される。信号が入力されている場合には、視聴信号特徴量抽出手段１０１は、入力された信号より特徴量を生成する（ステップＢ１〜Ｂ３）。
【００５６】
同時に、受信チャネル切り替え手段１０２は、受信する放送チャネルを適宜に切り替える。ここで、ｎチャネル目を受信しているときに次（ｎ＋１）番目のチャネルに切り替えるまでの間隔をθｎとする。切り替えるまでに取得した信号数をｆとすると、初期設定としてまずｆ＝０とする（ステップＢ４）。放送波受信手段１０３は、受信チャネル切り替え手段１０２により設定されたチャネルの信号を受信する（ステップＢ５）。視聴端末より信号を受信している場合は、受信チャネル特徴量抽出手段１０４が受信した放送信号より特定のアルゴリズムにより特徴量を抽出する（ステップＢ６）。この際に、どのチャネルを受信して生成された特徴量なのかをあわせて出力する。
【００５７】
ｆの値がθｎになるまで、ｆの値を１ずつ加算していく（ステップＢ７、Ｂ８）。ｆの値がθｎになったら、ｆ＝０に戻し、チャネルを切り替える（ステップＢ９、Ｂ１０）。なお、図７にあるように、１つのチャネルに対する特徴量すべてを事前に用意された特徴量格納バッファに蓄積したうえで（ステップＢ１４）、１つのチャネルの特徴量を単位として特徴量の比較を行ってもよい。
【００５８】
ここで、チャネルを切り替える間隔θを一定時間間隔で行うかわりに、任意の間隔で切り替えることもできる。つまり、θの値を、ｎによって可変にすることもできる。例えば、特徴量の性質からチャネルの特定が困難であると判断した場合、θの値を長くすることにより時間方向で特定しやすくしておき、逆に容易と判断した場合にはθの値を短くすることにより特定までの時間を短縮することができる。このように、視聴端末からの入力信号の特徴量の性質に応じて、θの値をコントロールする。任意時間間隔によりチャネルを切り替えることにより、より高精度にチャネルの特定をおこなうことができる。
【００５９】
そして、チャネル特定手段１０６は、視聴信号特徴量抽出手段１０１により抽出された特徴量と、受信チャネル特徴量抽出手段１０４により抽出された特徴量を比較し（ステップＢ１１）、比較した結果をあらかじめ用意された一定サイズのバッファに蓄積していく（ステップＢ１２）。バッファが埋まっている場合には、もっとも古い比較結果を消去し、新たな比較結果を新たに蓄積する。
【００６０】
バッファ内に含まれる比較結果の中に、特徴量間の相関が高いと判定された箇所が一定時間間隔で現れた場合に、視聴チャネルを該当するチャネルとして決定することにより
、視聴者が現在どのチャネルを視聴しているかを特定し出力する（ステップＢ１３）。
【００６１】
視聴端末から信号の入力が終了した時に、処理を終了する。
【００６２】
このように、上記実施の形態では、受信チャネル切り替え手段１０２により受信チャネルを自動的に切り替えて得られる受信信号より抽出した特徴量を照合することにより、各受信チャネルにつきチューナーを設置することがないため小さいシステム規模で視聴調査を行うことができる。
【００６３】
また、照合対象を全チャネル全放送の特徴量とするかわりに受信チャネル切り替え手段１０２により受信チャネルを自動的に切り替えて得られる受信信号より抽出した特徴量のみを照合対象とすることにより、少ない比較処理コストで視聴調査を行うことのできる視聴調査装置を提供することができる。
【００６４】
さらに、一定時間間隔によりチャネルを切り替えることにより、一定時間間隔で相関の高い箇所が現れた場合に視聴チャネルを特定することが可能となる。
【００６５】
さらに、また逐次照合を行い、一定時間間隔で相関の高い箇所が現れた場合に視聴チャネルを特定するため、逐次視聴チャネルを特定することが可能となる。
【００６６】
（全チャネル含む特徴量を１スロットとして照合）
次に、本発明の第３の発明を実施するための最良の形態について図面を参照して詳細に説明する。
【００６７】
図８を参照すると、本発明の第３の実施の形態は、第２の実施の形態に比べて、チャネル特定手段１０６のかわりにチャネル特定手段１０７を備えている。
【００６８】
チャネル特定手段１０７は、視聴信号特徴量抽出手段１０１により抽出された特徴量と、受信チャネル特徴量抽出手段１０４により抽出された特徴量を逐次比較することにより、視聴者がどのチャネルを視聴したかを特定する。
【００６９】
次に、視聴チャネルを出力する動作例について図８及び図９のフローチャートを参照して説明する。
【００７０】
視聴調査装置には視聴者が実際に視聴端末（テレビ、ラジオ、パソコンなど）で視聴している番組（テレビ番組、ラジオ番組など）の信号が逐次入力される。信号が入力されている場合には、視聴信号特徴量抽出手段１０１は、入力された信号より特徴量を生成する（ステップＢ１〜Ｂ３）。
【００７１】
同時に、受信チャネル切り替え手段１０２は、受信する放送チャネルを一定の順番で切り替える。ここで、ｎチャネル目を受信しているときに次（ｎ＋１）番目のチャネルに切り替えるまでの間隔をθｎとする。切り替えるまでに取得した信号数をｆとすると、初期設定としてまずｆ＝０とする（ステップＢ４）。放送波受信手段１０３は、受信チャネル切り替え手段１０２により設定されたチャネルの信号を受信する（ステップＢ５）。視聴端末より信号を受信している場合は、
受信チャネル特徴量抽出手段１０４が受信した放送信号より特定のアルゴリズムにより特徴量を抽出する（ステップＢ６）。この際に、どのチャネルを受信して生成された特徴量なのかをあわせて出力する。抽出された特徴量をあらかじめ用意された特徴量格納バッファに蓄積する（ステップＢ１４）。
【００７２】
ｆの値がθｎになるまで、ｆの値を１ずつ加算していく（ステップＢ７、Ｂ８）。ｆの値がθｎになったら、ｆ＝０に戻し、チャネルを切り替える（ステップＢ９、Ｂ１０）。
【００７３】
ここで、チャネルを一定の順番で切り替えるが、比較対象となるチャネルがすべて選択され、切り替えられたチャネルが最初のチャネルに戻った際にチャネル特定手段１０７は、視聴信号特徴量抽出手段１０１により抽出された特徴量と、
受信チャネル特徴量抽出手段１０４により抽出され、特徴量格納バッファに含まれる特徴量を比較する（ステップＢ１５、Ｂ１１）。比較が行われた後に、特徴量格納バッファはクリアされ、再び放送信号の受信を開始する、つまりステップＢ４に戻る（ステップＢ１６）。また、比較した結果をあらかじめ用意された一定サイズの結果格納バッファに蓄積していく（ステップＢ１２）。結果格納バッファが埋まっている場合には、もっとも古い比較結果を消去し、新たな比較結果を新たに蓄積する。
【００７４】
結果格納バッファ内に含まれる比較結果の中に、特徴量間の相関が高いと判定された箇所が一定時間間隔で現れた場合に、視聴チャネルを該当するチャネルとして決定することにより、視聴者が現在どのチャネルを視聴しているかを特定し出力する（ステップＢ１３）。
【００７５】
視聴端末から信号の入力が終了した時に、処理を終了する。
【００７６】
このように、上記実施の形態では、受信チャネル切り替え手段１０２により受信チャネルを自動的に切り替えて得られる受信信号より抽出した特徴量を照合することにより、各受信チャネルにつきチューナーを設置することがないため小さいシステム規模で視聴調査を行うことができる。
【００７７】
また、照合対象を全チャネル全放送の特徴量とするかわりに受信チャネル切り替え手段１０２により受信チャネルを自動的に切り替えて得られる受信信号より抽出した特徴量のみを照合対象とすることにより、少ない比較処理コストで視聴調査を行うことのできる視聴調査装置を提供することができる。
【００７８】
さらに、全チャネルの放送波に対する特徴量を含むバッファ単位で連続的に照合を行い、一定時間間隔で相関の高い箇所が現れた場合に視聴チャネルを特定するため、逐次視聴チャネルを特定することが可能となる。
【００７９】
（フィードバック）
次に、本発明の第４の発明を実施するための最良の形態について図面を参照して詳細に説明する。
【００８０】
図１０を参照すると、本発明の第４の実施の形態は、第２の実施の形態に比べて、受信チャネル切り替え手段１０２のかわりに受信チャネル切り替え手段１０９を備え、またチャネル特定手段１０６のかわりにチャネル特定手段１０８を備えている。
【００８１】
チャネル特定手段は１０８は、視聴信号特徴量抽出手段１０１により抽出された特徴量と、受信チャネル特徴量抽出手段１０４により抽出された特徴量を
逐次比較し、比較結果から受信する放送チャネルを指示するとともに、視聴者がどのチャネルを視聴したかを特定する。例えば、比較の過程であるチャネルである可能性が高いと判定された場合には、受信チャネルを同チャネルに設定し、視聴チャネルが同チャネルであると決定できるまで同チャネルに設定しておくことができる。
【００８２】
受信チャネル切り替え手段１０２は、受信する放送チャネルを自動的に、またはチャネル特定手段１０８の指示により設定する。
【００８３】
次に、視聴チャネルを出力する動作例について図１０及び図１１のフローチャートを参照して説明する。
【００８４】
視聴調査装置には視聴者が実際に視聴端末（テレビ、ラジオ、パソコンなど）で視聴している番組（テレビ番組、ラジオ番組など）の信号が逐次入力される。信号が入力されている場合には、視聴信号特徴量抽出手段１０１は、入力された信号より特徴量を生成する（ステップＢ１〜Ｂ３）。
【００８５】
同時に、受信チャネル切り替え手段１０９は、受信する放送チャネルを適宜に切り替える。ここで、ｎチャネル目を受信しているときに次（ｎ＋１）番目のチャネルに切り替えるまでの間隔をθｎとする。切り替えるまでに取得した信号数をｆとすると、初期設定としてまずｆ＝０とする（ステップＢ４）。放送波受信手段１０３は、受信チャネル切り替え手段１０２により設定されたチャネルの信号を受信
する（ステップＢ５）。視聴端末より信号を受信している場合は、受信チャネル特徴量抽出手段１０４が受信した放送信号より特定のアルゴリズムにより特徴量を抽出する（ステップＢ６）。この際に、どのチャネルを受信して生成された特徴量なのかをあわせて出力する。そして、１つのチャネルに対する特徴量すべてを事前に用意された特徴量格納バッファに蓄積する（ステップＢ１４）。
【００８６】
ｆの値がθｎになるまで、ｆの値を１ずつ加算していく（ステップＢ７、Ｂ８）。ここで、チャネルを切り替える間隔θを一定時間間隔で行うかわりに、任意の間隔で切り替えることもできる。つまり、θの値を、ｎによって可変にすることもできる。例えば、特徴量の性質からチャネルの特定が困難であると判断した場合、θの値を長くすることにより時間方向で特定しやすくしておき、逆に容易と判断した場合にはθの値を短くすることにより特定までの時間を短縮することができる。このように、視聴端末からの入力信号の特徴量の性質に応じて、θの値をコントロールする。任意時間間隔によりチャネルを切り替えることにより、より高精度にチャネルの特定をおこなうことができる。
【００８７】
そして、ｆの値がθｎになったら、チャネル特定手段１０８は、視聴信号特徴量抽出手段１０１により抽出された特徴量と、受信チャネル特徴量抽出手段１０４により抽出された特徴量を比較し（ステップＢ１１）、比較した結果をあらかじめ用意された比較結果格納バッファに蓄積していく（ステップＢ１２）。比較結果格納バッファが埋まっている場合には、もっとも古い比較結果を消去し、新たな比較結果を新たに蓄積する。比較の結果、特徴量が類似する場合、つまり視聴チャネルと受信チャネルが一致する可能性が高いと思われるときには、チャネルを切り替えず、ｆ＝０に戻し同一チャネルの放送を受信して特徴量抽出処理を繰り返す。一致する可能性が低いと判定されたときには、ｆ＝０に戻し、チャネルを切り替える（ステップＢ９、Ｂ１０）。
【００８８】
比較結果格納バッファ内に含まれる比較結果の中に、特徴量間の相関が高いと判定された箇所が一定時間間隔で現れた場合に、視聴チャネルを該当するチャネルとして決定することにより、視聴者が現在どのチャネルを視聴しているかを特定し出力する（ステップＢ１３）。
【００８９】
視聴端末から信号の入力が終了した時に、処理を終了する。
【００９０】
このように、上記実施の形態では、受信チャネル切り替え手段１０９により受信チャネルを自動的に切り替えて得られる受信信号より抽出した特徴量を照合することにより、各受信チャネルにつきチューナーを設置することないため小さいシステム規模で視聴調査を行うことができる。
【００９１】
また、照合対象を全チャネル全放送の特徴量とするかわりに受信チャネル切り替え手段１０９により受信チャネルを自動的に切り替えて得られる受信信号より抽出した特徴量のみを照合対象とすることにより、少ない比較処理コストで視聴調査を行うことのできる視聴調査装置を提供することができる。
【００９２】
さらに、一定時間間隔によりチャネルを切り替えることにより、一定時間間隔で相関の高い箇所が現れた場合に視聴チャネルを特定することが可能となる。
【００９３】
さらに、特徴量比較の結果、相関が高いと判定された場合に受信しているチャネルをひきつづき受信することで、より高い信頼度で逐次視聴チャネルを特定することが可能となる。
【００９４】
（サーバークライアント）
次に、本発明の第５の発明を実施するための最良の形態について図面を参照して詳細に説明する。
【００９５】
図１２を参照すると、本発明の第２の実施の形態は、視聴調査を行う対象となる視聴端末（テレビ、ラジオ、パソコンなど）に設置する視聴調査装置１１と、視聴調査装置より送信された情報より視聴チャネルを特定する視聴調査サーバ１２とを含む。
【００９６】
視聴調査装置１１は、視聴信号特徴量抽出手段１１１と、視聴信号特徴量送信手段１１６とを備えている。
【００９７】
視聴信号特徴量抽出手段１１１は、視聴者が実際に視聴端末（テレビ、ラジオ、パソコンなど）で視聴している番組（テレビ番組、ラジオ番組、など）の信号より特定のアルゴリズムを用いて特徴量を抽出する。
【００９８】
信号としては、視聴端末の出力端子より出力される信号を利用する。アナログ信号、ディジタル信号のどちらでもよい。例えば、アナログ信号としては、視聴端末がテレビの場合、コンポジット端子、Ｓ端子、コンポーネント端子、Ｄ端子より出力される信号を用いることができる。ラジオの場合、ヘッドホン端子やアナログ音声出力端子より出力される信号などを用いることができる。視聴端末に実際に表示されている映像や出力されている音声をカメラやマイクなどで取得したものを利用することも可能である。特徴量の例としては、映像特徴量としては色の割合をヒストグラム表現するカラーヒストグラムや、画像全体の代表色、レイアウト情報、模様、エッジ分布、映像中の動きの激しさ、音声特徴量としてスペクトラムやケプストラム等などさまざまなものが考えられる。チューナー経由でテレビを視聴している場合、チューナーに含まれる出力端子より出力される信号を利用することも可能である。
【００９９】
ディジタル信号としては、放送されている映像や音声のビットストリームそのものを用いることができる。光ディジタル音声出力端子から出力される信号を用いることもできる。特徴量の例としては、ビットストリームを復号してアナログ信号と同様の特徴量を生成することも、ビットストリームそのもの全体またはその一部を特徴量として利用することもできる。
【０１００】
視聴信号特徴量送信手段１１６は、視聴信号特徴量抽出手段１１１より抽出された特徴量をネットワークを通じて視聴端末サーバに送出する。ストリーミング技術などを利用して特徴量を配信することも、一定時間の特徴量をバッファリングしたうえで、特徴量を送信することもできる。特徴量を送出することにより、映像を送出する場合に比べて少ないトラフィックですむ。
【０１０１】
視聴調査サーバ１２は、受信チャネル切り替え手段１１２と、放送波を受信できるような放送波受信手段１１３（チューナーなど）と、受信チャネル特徴量抽出手段１１４と、チャネル特定手段１１５とを備えている。
【０１０２】
受信チャネル切り替え手段１１２は、受信する放送チャネルを適宜自動的に切り替える。
【０１０３】
放送波受信手段１１３は、受信チャネル切り替え手段１１２により設定された放送チャネルの放送波を受信する。
【０１０４】
受信チャネル特徴量抽出手段１１４は、放送波受信手段１１３の受信している信号より、特定のアルゴリズムにより特徴量を抽出するとともに、受信チャネルがどれであるかを逐次記憶する。
【０１０５】
チャネル特定手段１１５は、視聴信号特徴量送出手段１１６により送出された特徴量と、受信チャネル特徴量抽出手段１１４により抽出された特徴量を比較することにより、視聴者がどのチャネルを視聴したかを特定する。なお、チャネル特定手段の実施例としては、第１〜第４の実施の形態と同様の方法をとることができる。
【０１０６】
このように、上記実施の形態では、受信チャネル切り替え手段１１２により受信チャネルを自動的に切り替えて得られる受信信号より抽出した特徴量を照合することにより、各受信チャネルにつき１台ずつチューナーを設置することが不要であるため小さいシステム規模で視聴調査を行うことができる。
【０１０７】
また、照合対象を全チャネル全放送の特徴量とするかわりに受信チャネル切り替え手段１１２により受信チャネルを自動的に切り替えて得られる受信信号より抽出した特徴量のみを照合対象とすることにより、少ない比較処理コストで視聴調査を行うことのできる視聴調査サーバを提供することができる。
【０１０８】
（サーバークライアント））
次に、本発明の第６の発明を実施するための最良の形態について図面を参照して詳細に説明する。
【０１０９】
図１３を参照すると、本発明の第３の実施の形態は、視聴調査を行う対象となる視聴端末（テレビ、ラジオ、パソコンなど）に設置する視聴調査装置２１と、視聴調査装置より送信された情報より視聴チャネルを特定する視聴調査サーバ２２とを含む。
【０１１０】
視聴調査装置２１は、視聴信号送信手段１２６を備えている。
【０１１１】
視聴信号送信手段１２６は、視聴者が実際に視聴端末（テレビ、ラジオ、パソコンなど）で視聴している番組（テレビ番組、ラジオ番組など）の信号を、ネットワークを通じて視聴端末サーバに送出する。ストリーミング技術などを利用して信号を配信することも、一定時間の特徴量をバッファリングしたうえで、信号を送信することもできる。また、信号そのものを送信する代わりに、信号を縮退させたうえで送出してもよい。例えば、信号が映像である場合、画像の解像度やフレームレートを落としたうえで送出することにより、伝送量を減らすことができる。
【０１１２】
視聴調査サーバ２２は、受信チャネル切り替え手段１２２と、放送波を受信できるような放送波受信手段１２３（チューナーなど）と、受信チャネル特徴量抽出手段１２４と、チャネル特定手段１２５とを備えている。
【０１１３】
視聴信号特徴量抽出手段１２１は、視聴信号送信手段１２６により送出された信号より特定のアルゴリズムにより特徴量を抽出する。信号としては、視聴端末の出力端子より出力される信号を利用する。アナログ信号、ディジタル信号のどちらでもよい。例えば、アナログ信号としては、視聴端末がテレビの場合、コンポジット端子、Ｓ端子、コンポーネント端子、Ｄ端子より出力される信号を用いることができる。ラジオの場合、ヘッドホン端子やアナログ音声出力端子より出力される信号などを用いることができる。視聴端末に実際に表示されている映像や出力されている音声をカメラやマイクなどで取得したものを利用することも可能である。特徴量の例としては、映像特徴量としては色の割合をヒストグラム表現するカラーヒストグラムや、画像全体の代表色、レイアウト情報、模様、エッジ分布、映像中の動きの激しさ、音声特徴量としてスペクトラムやケプストラム等などさまざまなものが考えられる。チューナー経由でテレビを視聴している場合、チューナーに含まれる出力端子より出力される信号を利用することも可能である。
【０１１４】
ディジタル信号としては、放送されている映像や音声のビットストリームそのものを用いることができる。光ディジタル音声出力端子から出力される信号を用いることもできる。特徴量の例としては、ビットストリームを復号してアナログ信号と同様の特徴量を生成することも、ビットストリームそのもの全体またはその一部を特徴量として利用することもできる。さらに、ディジタル放送の場合、映像のビットストリームそのものまたはその一部を特徴量として利用することも可能である。
【０１１５】
受信チャネル切り替え手段１２２は、受信する放送チャネルを適宜自動的に切り替える。
【０１１６】
放送波受信手段１２３は、受信チャネル切り替え手段１２２により設定された放送チャネルの放送波を受信する。
【０１１７】
受信チャネル特徴量抽出手段１２４は、 放送波受信手段１２３の受信している信号より、特定のアルゴリズムにより特徴量を抽出するとともに、受信チャネルがどれであるかを逐次記憶する。
【０１１８】
チャネル特定手段１２５は、視聴信号特徴量送出手段１２６により送出された特徴量と、受信チャネル特徴量抽出手段１２４により抽出された特徴量を比較することにより、視聴者がどのチャネルを視聴したかを特定する。なお、チャネル特定手段の実施例としては、第１〜第４の実施の形態と同様の方法をとることができる。
【０１１９】
このように、上記実施の形態では、受信チャネル切り替え手段１２２により受信チャネルを自動的に切り替えて得られる受信信号より抽出した特徴量を照合することにより、各受信チャネルにつきチューナーを設置することがないため小さいシステム規模で視聴調査を行うことができる。
【０１２０】
また、照合対象を全チャネル全放送の特徴量とするかわりに受信チャネル切り替え手段１２２により受信チャネルを自動的に切り替えて得られる受信信号より抽出した特徴量のみを照合対象とすることにより、少ない比較処理コストで視聴調査を行うことのできる視聴調査サーバを提供することができる。
【産業上の利用可能性】
【０１２１】
本発明によれば、アナログ放送、ディジタル放送の双方に対して、小さいシステム規模で視聴者の視聴しているチャネルを集計する視聴調査サーバや視聴調査端末をといった用途に適用できる。また、リアルタイムにテレビやラジオの視聴率調査を行うといった用途に適用できる。さらに、放送波のかわりにインターネット経由でアクセスできるストリーミング放送を受信することによりストリーミング放送の視聴調査にも応用可能である。
【図面の簡単な説明】
【０１２２】
【図１】本発明の第１の発明を実施するための最良の形態の構成を示すブロック図である。
【図２】第１の発明を実施するための最良の形態の動作を示す流れ図である。
【図３】第１の発明を実施するための最良の形態の動作の具体例を示す図である。
【図４】第１の発明を実施するための最良の形態の動作の具体例を示す図である。
【図５】本発明の第２の発明を実施するための最良の形態の構成を示すブロック図である。
【図６】第２の発明を実施するための最良の形態の動作を示す流れ図である。
【図７】第２の発明を実施するための最良の形態の動作を示す流れ図である。
【図８】本発明の第３の発明を実施するための最良の形態の構成を示すブロック図である。
【図９】第３の発明を実施するための最良の形態の動作を示す流れ図である。
【図１０】本発明の第４の発明を実施するための最良の形態の構成を示すブロック図である。
【図１１】第４の発明を実施するための最良の形態の動作を示す流れ図である。
【図１２】本発明の第５の発明を実施するための最良の形態の構成を示すブロック図である。
【図１３】本発明の第６の発明を実施するための最良の形態の構成を示すブロック図である。
【図１４】背景技術の構成を示すブロック図である。
【図１５】背景技術の構成を示すブロック図である。
【符号の説明】
【０１２３】
１        視聴調査装置
１１      視聴調査装置
１２      視聴調査サーバ
２１      視聴調査装置
２２      視聴調査サーバ
１０１    視聴信号特徴量抽出手段
１０２    受信チャネル切替手段
１０３    放送波受信手段
１０４    受信チャネル特徴量抽出手段
１０５    チャネル特定手段
１１１    視聴信号特徴量抽出手段
１１２    受信チャネル切替手段
１１３    放送波受信手段
１１４    受信チャネル特徴量抽出手段
１１５    チャネル特定手段
１１６    視聴信号特徴量送信手段
１２１    視聴信号特徴量抽出手段
１２２    受信チャネル切替手段
１２３    放送波受信手段
１２４    受信チャネル特徴量抽出手段
１２５    チャネル特定手段
１２６    視聴信号送信手段
【図１】
2005051716.tif 000003
【図２】
2005051716.tif 000004
【図３】
2005051716.tif 000005
【図４】
2005051716.tif 000006
【図５】
2005051716.tif 000007
【図６】
2005051716.tif 000008
【図７】
2005051716.tif 000009
【図８】
2005051716.tif 000010
【図９】
2005051716.tif 000011
【図１０】
2005051716.tif 000012
【図１１】
2005051716.tif 000013
【図１２】
2005051716.tif 000014
【図１３】
2005051716.tif 000015
【図１４】
2005051716.tif 000016
【図１５】
2005051716.tif 000017